(57)【要約】      （修正有）【課題】テント内を陽圧に保ち易い空気清浄機付きテント装置を提供する。【解決手段】テント装置１は、少なくとも人１人が入ることができる空間３０を形成する空気非透過性シートからなる壁面を有するテント２０と、テント２０内の空間を空気清浄する空気清浄機１０と、を有し、テント２０は、壁面を縫い合わせる縫い目と、壁面に設けられテントの出入り口となる扉２１と、を有し、空気清浄機１０は、テント１０に形成された清浄空気入り口から清浄空気をテント２０内に入れ、空間３０を清浄空気で陽圧に保ち、空気清浄機１０の送風圧力でテント２０の隙間から加圧排気する。【選択図】図８
0003221310.tif 000002
【実用新案登録請求の範囲】
【請求項１】
少なくとも人１人が入ることができる空間を形成する空気非透過性シートからなる壁面を有するテントと、
前記テント内の空間を空気清浄する空気清浄機と、を有し、
前記テントは、隙間を有し、
前記空気清浄機は、前記テントに形成された清浄空気入り口から前記清浄空気を前記テント内に入れ、前記空間を清浄空気で陽圧に保ち、前記空気清浄機の送風圧力で前記テントの隙間から加圧排気する、空気清浄機付きテント装置。
【請求項２】
前記テントは、前記壁面を縫い合わせる縫い目と、前記壁面に設けられ前記テントの出入り口となる扉と、を有し、
前記隙間は、少なくとも、前記縫い目又は前記出入り口となる扉の隙間である請求項１に記載の空気清浄機付きテント装置。
【請求項３】
前記空気非透過性シートは、糸が高密度で打ち込まれた、帯電防止性の織布を含む請求項１又は請求項２に記載の空気清浄機付きテント装置。
【考案の詳細な説明】
【技術分野】
【０００１】
本考案は、空気清浄機付きテント装置に関するものである。
【背景技術】
【０００２】
日本人の約３〜４人に１人が花粉などのアレルギーに悩まされており、今後も増加すると予想されている。くしゃみ・鼻水・鼻づまり・目のかゆみなどの症状が原因となる不眠や、起床時のモーニングアタックなど、睡眠環境にストレスを感じる人も多い。
このような問題を解決するものとして、空間内を空気清浄機で清浄空間にするものが提案されている（特許文献１）
【０００３】
特許文献１は、筐体に空気清浄機から、この筐体に形成された清浄空気入り口を介し清浄空気を入れ、筐体空間を清浄空気で陽圧に保ち、空気清浄機の送風圧力で上記空気透過性シートから該筐体空間内の空気を加圧排気するというものである。
【先行技術文献】
【特許文献】
【０００４】
【特許文献１】特開２００９−２２６１８０号公報
【考案の概要】
【考案が解決しようとする課題】
【０００５】
しかしながら、特許文献１の技術は、壁面を構成するシートが、空気透過性シートで構成されているため、筐体空間を陽圧に保ちにくいという問題があった。
【０００６】
そこで、本考案は上記問題点に鑑みなされたものであり、テント内を陽圧に保ち易い空気清浄機付きテント装置を提供することを目的としている。
【課題を解決するための手段】
【０００７】
上記課題を解決するために、（１）本考案の空気清浄機付きテント装置は、少なくとも人１人が入ることができる空間を形成する空気非透過性シートからなる壁面を有するテントと、前記テント内の空間を空気清浄する空気清浄機と、を有し、前記テントは、隙間を有し、
前記空気清浄機は、前記テントに形成された清浄空気入り口から前記清浄空気を前記テント内に入れ、前記空間を清浄空気で陽圧に保ち、前記空気清浄機の送風圧力で前記テントの隙間から加圧排気する。
【０００８】
（２）上記（１）の構成において、前記テントは、前記壁面を縫い合わせる縫い目と、前記壁面に設けられ前記テントの出入り口となる扉と、を有し、前記隙間は、少なくとも、前記縫い目又は前記出入り口となる扉の隙間である。
【０００９】
（３）上記（１）又は（２）の構成において、前記空気非透過性シートは、糸が高密度で打ち込まれた、帯電防止性の織布を含む。
【考案の効果】
【００１０】
本考案によれば、テント内を陽圧に保ち易い空気清浄機付きテント装置を提供することができる。
【図面の簡単な説明】
【００１１】
【図１】本考案の実施形態に係る空気清浄機付きテント装置を示す図である。
【図２】本考案の実施形態に係るテントの平面図である。
【図３】本考案の実施形態に係るテントの正面図である。
【図４】本考案の実施形態に係るテントの正面図であって、前扉を開けた状態を示す図である。
【図５】本考案の実施形態に係るテントの左側面図、右側面図である。
【図６】本考案の実施形態に係るテントの左側面図であって、前扉を開けた状態を示す図である。
【図７】本考案の実施形態に係るテントの底面図である。
【図８】本考案の実施形態に係る空気清浄機付きテントの動作状態を示す図である。
【図９】本考案の実施形態に係る空気清浄機付きテントの扉を開けた状態を示す図である。
【考案を実施するための形態】
【００１２】
以下、本考案を実施するための形態(以下、「実施形態」という)を、添付図面に基づいて詳細に説明する。
【００１３】
図１は、本考案の実施形態に係る空気清浄機付きテント装置を示す図である。図２は、本考案の実施形態に係るテントの平面図、図３は正面図、図４は正面図であって、前扉を開けた状態を示す図、図５は左側面図、右側面図、図６は、左側面図であって、前扉を開けた状態を示す図、図７は底面図である。
【００１４】
図１〜図７に示すように、本考案の実施形態の空気清浄機付きテント装置１は、快適に眠りたい方用の花粉対策テントを提供することができる。
このテント装置１は、空気清浄機１０と、この空気清浄機１０により内部に花粉が除去された空間を形成するテント２０とを有するものである。
【００１５】
空気清浄機１０は、図示を省略するが、送風機、電源、中高性能フィルタを備え、電源の投入後に清浄された空気を送風機により送風することができる。
空気清浄機１０は、汚れた外気（空気）を吸入する際に中高性能フィルタによって、瀘過してチリやダニ、花粉等を除去する。
【００１６】
空気清浄機１０は、ダクト１１の先端１２がテント２０の清浄空気入り口２４に配設されており、取り込んだ空気を空気清浄し、ダクト１１を介して、テント２０内に清浄した空気を送り込んで、テント２０内の空間３０を空気清浄するものである。テント２０内には、人が寝転ぶことができるマット３１が設けられている。
【００１７】
テント２０は、少なくとも人１人が入ることができる空間３０を形成する壁面２０ａ、２０ｂ、２０ｃ、２０ｄ、２０ｅを有する。
壁面２０ａには、チャック２２により開閉自在であって、出入り口となる前扉２１が設けられている。壁面２０ｃにも、チャック２２ａにより開閉自在であって、出入り口となる前扉２１が設けられている。壁面２０ｄにも、チャック２２により開閉自在な扉２１が設けられている。
【００１８】
壁面２０ａ、２０ｂ、２０ｃ、２０ｄ、２０ｅは、空気非透過性シートによって構成されており、空気非透過性シートからなる各壁面２０ａ〜２０ｅを縫い合わせることで、テント２０が完成する。
【００１９】
より詳細には、テント２０は、底面となる壁面２０ｅの各辺に壁面２０ａ、２０ｂ、２０ｃ及び２０ｄの対応する辺が縫い合わされ、壁面２０ａと壁面２０ｂ、壁面２０ｄの対応する箇所が縫い合わされ、壁面２０ｂと壁面２０ｃの対応する箇所が縫い合わされ、壁面２０ｃと壁面２０ｄの対応する箇所が縫い合わされて、テント２０が完成する。
【００２０】
各壁面２０ａ〜２０ｅを縫い目にはテント２０内の空気を外部に放出するための隙間が形成されている。また、壁面２０ａ、壁面２０ｃ及び壁面２０ｄに設けられた扉２１やチャック２２、には、テント２０内の空気を外部に放出するための隙間が形成されている。
矩形状の布２３は、丸穴形状の清浄空気入り口２４を有し、布２３を壁面２０ａに縫い付けることで、清浄空気入り口２４を壁面２０ａに設けることができる。矩形状の布２３と壁面２０ａの縫い目にはテント２０内の空気を外部に放出するための隙間が形成されている。
また、矩形状の布２３ａは、丸穴形状の清浄空気入り口２４ａを有し、布２３ａを壁面２０ｃに縫い付けることで、清浄空気入り口２４ａを壁面２０ｃに設けることができる。矩形状の布２３ａと壁面２０ｃの縫い目にはテント２０内の空気を外部に放出するための隙間が形成されている。
【００２１】
空気非透過性シートは、糸が高密度で打ち込まれた、帯電防止性の織布等によって構成されており、壁面２０ａ〜２０ｅを構成する空気非透過性シート自体からは、空間３０内の洗浄空気は外部へ放出されないよう構成されている。
【００２２】
上述したように、テント２０は、壁面２０ａ〜２０ｅを縫い合わせた縫い目の隙間、壁面２０ａ〜２０ｅに設けられたテント２０の出入り口となる前扉２１の隙間、及び清浄空気入り口２４、２４ａを壁面２０ａ、２０ｃに取り付けるための縫い目の隙間などの複数の隙間が設けられている。
【００２３】
図８は、本考案の実施形態に係る空気清浄機付きテント装置の動作状態を示す図である。図９は、本考案の実施形態に係る空気清浄機付きテント装置の扉を開けた状態を示す図である。
【００２４】
図９に示すように、空気清浄機１０の電源を入れ、テント２０内に人Ｍがマット３０上に横たわり、チャック２２を操作して前扉２１を閉じる。
図８に示すように、空気清浄機１０は、テント２０に形成された清浄空気入り口１２から清浄空気をテント２０内に送る。
【００２５】
テント２０の壁面２０ａ〜２０ｅの縫い目の隙間、扉２１の隙間、及び清浄空気入り口２４、２４ａを有する布２３、２３ａを壁面２０ａ、２０ｃに取り付けるための縫い目の隙間などの複数の隙間から、空気清浄機１０の送風圧力で加圧排気することがで、空間３０内を洗浄空気で陽圧に保つことができる。
【００２６】
本実施形態によれば、壁面２０ａ〜２０ｅを空気非透過シートで構成することで、テント２０内の空気が陽圧になりやすいことから、テント２０内の空気を素早く花粉が除去された空間にでき、また、テント２０内の空間が空気を送り込む量が少なくても花粉が除去された空間になりやすいので、結果として低電力で花粉が除去された空間が実現できる。壁面を空気透過性シートで構成する場合よりも、テント２０内の空間３０を清浄空気で陽圧に保ちやすい。これにより、快適に眠ることができ、不眠や、起床時のモーニングアタックなどを解消し、睡眠環境のストレスを感じることもない。
【００２７】
なお、本考案は、上記実施形態に限定されるものではなく、本考案の目的を達成できる範囲での変形、改良等は本考案に含まれるものである。
【符号の説明】
【００２８】
１    テント装置
１０    空気清浄機
１１    ダクト
１２    ダクトの先端
２０    テント
２０ａ〜２０ｅ  壁面
２１    扉
３０    テント内の空間
【図１】
0003221310.tif 000003
【図２】
0003221310.tif 000004
【図３】
0003221310.tif 000005
【図４】
0003221310.tif 000006
【図５】
0003221310.tif 000007
【図６】
0003221310.tif 000008
【図７】
0003221310.tif 000009
【図８】
0003221310.tif 000010
【図９】
0003221310.tif 000011